(57)【特許請求の範囲】
【請求項１】
第１の加熱手段と、第２の加熱手段と、第３の加熱手段と、前記第１の加熱手段を駆動する第１の駆動手段および第２の駆動手段と、商用電源から前記第１〜第３の加熱手段への電源供給をオンオフする電源スイッチと、前記第１〜第３の加熱手段のオンオフを制御する制御手段を備え、前記電源スイッチは２極以上の構成からなり、前記第２の加熱手段と前記第１の駆動手段は前記電源スイッチの第１の極を介して商用電源から電源供給され、前記第３の加熱手段と前記第２の駆動手段は前記電源スイッチの第２の極を介して商用電源から電源供給される構成とし、前記制御手段は、前記電源スイッチの一つの極から複数の加熱手段へ同時に通電しないように前記第１の駆動手段と前記第２の駆動手段を制御することを特徴とする多口加熱調理器。
【請求項２】
第１の駆動手段は第１の加熱手段または第２の加熱手段のいずれかを通電する切換接点を備え、第２の駆動手段は第１の加熱手段または第３の加熱手段のいずれかを通電する切換接点を備えたことを特徴とする請求項１記載の多口加熱調理器。
【請求項３】
第１の加熱手段の駆動手段を記憶する記憶手段を備え、制御手段は第１の加熱手段を単独で通電する場合に、前記記憶手段からの信号に基づき第１の駆動手段と第２の駆動手段のいずれかの駆動を選択することを特徴とする請求項１または２記載の多口加熱調理器。
【請求項４】
第１の駆動手段での累積駆動回数と第２の駆動手段での累積駆動回数を記憶する第２の記憶手段を備え、制御手段は第１の加熱手段を単独で通電する場合に、前記第２の記憶手段からの信号に基づき前記第１の駆動手段と前記第２の駆動手段のいずれかの駆動を選択することを特徴とする請求項１または２記載の多口加熱調理器。
【発明の詳細な説明】
【０００１】
【発明の属する技術分野】
本発明は多口加熱調理器に関するものである。
【０００２】
【従来の技術】
以下に従来構成の多口加熱調理器について説明する。
【０００３】
図３は従来構成の多口加熱調理器のブロック図である。図３において３１はロースター加熱をする第１の加熱手段、３２は左コンロ加熱をする第２の加熱手段、３３は右コンロ加熱をする第３の加熱手段、３４は第１の加熱手段３１を駆動する第１の駆動手段、３５は第２の加熱手段３２を駆動する第２の駆動手段、３６は第３の加熱手段３３を駆動する第３の駆動手段、３７は第１の駆動手段３４と第２の駆動手段３５と第３の駆動手段３６を制御する制御手段、３８は商用電源から前記各加熱手段への電源供給をオンオフする電源スイッチである。電源スイッチ３８は２極で構成され電源スイッチの第１の極３８ａは第１の加熱手段３１と第２の加熱手段３２の単極をオンオフし、電源スイッチの第２の極３８ｂは第３の加熱手段３３の単極をオンオフしている。
【０００４】
以上のように構成された従来構成の多口加熱調理器では、調理器の主電源は電源スイッチ３８でオンオフし、制御手段３７により第１の駆動手段３４、第２の駆動手段３５、および第３の駆動手段３６を駆動して、それぞれの加熱手段を通電し、多口加熱調理器の最大定格電圧を制限するために、ロースターである第１の加熱手段３１と左コンロである第２の加熱手段３２のいずれかを選択して加熱する構成としていた。
【０００５】
【発明が解決しようとする課題】
しかしながら上記従来の構成では、いろいろな調理に対応できるように各加熱手段の火力を高火力とし、かつ調理器の最大定格を調理器までの屋内配線やブレーカーの容量以内とするために、ロースターと左コンロの同時加熱ができないようにしているので、左コンロで加熱調理中にロースターを使用する場合は、一度調理を停止してロースターと右コンロの調理に切換えて再調理しなければならないという課題があった。
【０００６】
また、調理器のすぐ右側が壁となっているキッチンでは機器の略左側から調理作業するケースが多く、ロースター加熱時には使用者にとって使いづらい右コンロで調理しなければならないという課題があった。
【０００７】
また、上記課題を解決するために、ロースター、左コンロ、右コンロのうち２つを同時加熱可能とすると、電源スイッチの第１の極３８ａにはロースタへの供給電流と左コンロへの供給電流の総和が最大流れるので、定格の大きい高価な電源スイッチを使用しなければならないという課題があった。
【０００８】
本発明は上記課題を解決するもので、定格が小さく低コストな電源スイッチで少なくとも任意の２つの加熱部を最大火力にて同時使用可能とする多口加熱調理器を提供することを目的とする。
【０００９】
【課題を解決するための手段】
上記目的を達成するために本発明は、第１の加熱手段と、第２の加熱手段と、第３の加熱手段と、前記第１の加熱手段を駆動する第１の駆動手段および第２の駆動手段と、商用電源から前記第１〜第３の加熱手段への電源供給をオンオフする電源スイッチと、前記第１〜第３の加熱手段のオンオフを制御する制御手段を備え、前記電源スイッチは２極以上の構成からなり、前記第２の加熱手段と前記第１の駆動手段は前記電源スイッチの第１の極を介して商用電源から電源供給され、前記第３の加熱手段と前記第２の駆動手段は前記電源スイッチの第２の極を介して商用電源から電源供給される構成とし、前記制御手段は、前記電源スイッチの一つの極から複数の加熱手段へ同時に通電しないように前記第１の駆動手段と前記第２の駆動手段を制御する構成とするものである。
【００１０】
これにより、第１の加熱手段へは電源スイッチのいずれの極からでも電源供給可能となり、また全ての加熱手段を同時に通電できなくしているので、電源スイッチの片方の極から複数の加熱手段へ同時に通電されることがなくなり、定格が小さく安価な電源スイッチでかつ、任意の２つの加熱手段を最大火力で同時加熱することが可能となる。
【００１１】
【発明の実施の形態】
本発明の目的は、各請求項に記載した構成を実施の形態とすることにより達成することができるので、以下には各請求項の特徴とする構成に作用を併記して実施の形態の意義を理解しやすく説明することとする。
【００１２】
本発明の請求項１に記載の多口加熱調理器は、第１の加熱手段と、第２の加熱手段と、第３の加熱手段と、前記第１の加熱手段を駆動する第１の駆動手段および第２の駆動手段と、商用電源から前記第１〜第３の加熱手段への電源供給をオンオフする電源スイッチと、前記第１〜第３の加熱手段のオンオフを制御する制御手段を備え、前記電源スイッチは２極以上の構成からなり、前記第２の加熱手段と前記第１の駆動手段は前記電源スイッチの第１の極を介して商用電源から電源供給され、前記第３の加熱手段と前記第２の駆動手段は前記電源スイッチの第２の極を介して商用電源から電源供給される構成とし、前記制御手段は、前記電源スイッチの一つの極から複数の加熱手段へ同時に通電しないように前記第１の駆動手段と前記第２の駆動手段を制御する構成とするものである。
【００１３】
かかる構成を実施の形態とすることにより、第１の加熱手段へは電源スイッチのいずれの極からでも電源供給可能となり、また全ての加熱手段を同時に通電できなくしているので、電源スイッチの片方の極から複数の加熱手段へ同時に通電されることがなくなり、定格が小さく安価な電源スイッチでかつ、任意の２つの加熱手段を最大火力で同時加熱することが可能となる。
【００１４】
本発明の請求項２に記載の多口加熱調理器は、第１の駆動手段は第１の加熱手段または第２の加熱手段のいずれかを通電する切換接点を備え、第２の駆動手段は第１の加熱手段または第３の加熱手段のいずれかを通電する切換接点を備えた構成とするものである。
【００１５】
かかる構成を実施の形態とすることにより、制御手段や駆動手段などの制御回路の故障に関係なく、確実に電源スイッチの片方の極から複数の加熱手段へ同時に通電されることがなくなり、定格が小さく安価な電源スイッチでかつ、任意の２つの加熱手段を最大火力で同時加熱することが可能となるとともに、調理中の回路の故障によるブレーカーの遮断を抑制することができる。
【００１６】
本発明の請求項３記載の多口加熱調理器は、第１の加熱手段の駆動手段を記憶する記憶手段を備え、制御手段は第１の加熱手段を単独で通電する場合に、前記記憶手段からの信号に基づき第１の駆動手段と第２の駆動手段のいずれかの駆動を選択する構成とするものである。
【００１７】
かかる構成を実施の形態とすることにより、第１の加熱手段を通電した時いずれの駆動手段で駆動したかを記憶しているので、第１の加熱手段を単独で使用する場合に前回とは異なる方の駆動手段にて駆動することが可能となり、電源スイッチのそれぞれの極からの通電回数や第１の駆動手段と第２の駆動手段の動作回数のバランスをよくして、電源スイッチや、第１の駆動手段および第２の駆動手段の信頼性を向上することができる。
【００１８】
本発明の請求項４記載の多口加熱調理器は、第１の駆動手段での累積駆動回数と第２の駆動手段での累積駆動回数を記憶する第２の記憶手段を備え、制御手段は第１の加熱手段を単独で通電する場合に、前記第２の記憶手段からの信号に基づき前記第１の駆動手段と前記第２の駆動手段のいずれかの駆動を選択する構成とするものである。
【００１９】
かかる構成を実施の形態とすることにより、第１の加熱手段を単独で使用する場合に使用頻度の低い方の駆動手段にて駆動することが可能となり、電源スイッチのそれぞれの極からの通電回数や第１の駆動手段と第２の駆動手段の動作回数のバランスをより一層よくして、電源スイッチや、第１の駆動手段および第２の駆動手段の信頼性をより向上することができる。
【００２０】
【実施例】
（実施例１）
以下本発明の請求項１〜４の実施例について、図面を参照しながら説明する。
【００２１】
図１において、１はロースターを加熱する第１の加熱手段、２は左コンロを加熱する第２の加熱手段、３は右コンロを加熱する第３の加熱手段、４は第１の加熱手段１を駆動する第１の駆動手段、５は第１の加熱手段１を駆動する第２の駆動手段、６は第２の加熱手段２を駆動する第３の駆動手段、７は第３の加熱手段３を駆動する第４の駆動手段である。第１〜第４の駆動手段はリレーで構成されており、第１の駆動手段４と第２の駆動手段５の並列回路が第１の加熱手段１と直列回路で構成され、第３の駆動手段６と第２の加熱手段２、および第４の駆動手段７と第３の加熱手段３もそれぞれ直列回路で構成されている。８は前記第１〜第４の駆動手段を駆動する制御手段、９は商用電源から前記各加熱手段への電源供給をオンオフする電源スイッチである。電源スイッチ９は２極で構成され電源スイッチの第１の極９ａは第１の駆動手段４と第２の加熱手段２の単極をオンオフし、電源スイッチの第２の極９ｂは第２の駆動手段５と第３の加熱手段３の単極をオンオフしている。１０は第１の駆動手段４と第２の駆動手段５の駆動状態を記憶する第１の記憶手段であり、制御手段８と第１の記憶手段１０はマイクロコンピュータで構成されている。１１は第１の駆動手段４と第２の駆動手段５のそれぞれの累積駆動回数を記憶する第２の記憶手段で、不揮発性のメモリーなどにより構成されている。
【００２２】
以上のように構成された多口加熱調理器についてその動作を説明する。
【００２３】
調理器の主電源は電源スイッチ９でオンオフし、ロースターを加熱する場合は第１の駆動手段４または第２の駆動手段５により第１の加熱手段１を通電し、左コンロを加熱する場合は第３の駆動手段６により第２の加熱手段２を通電する。また、右コンロを加熱する場合は、第４の駆動手段７により第３の加熱手段３を通電する。
【００２４】
制御手段８は、複数の加熱手段を同時に加熱する場合、ロースターと左コンロを同時加熱するときは、第２の加熱手段２が接続されている極とは異なる電源スイッチの第２の極９ｂから第１の加熱手段１に電源を供給するため、制御手段８は第２の駆動手段５により第１の加熱手段１を駆動する。また同様に、ロースターと右コンロを同時加熱する場合は制御手段８は第１の駆動手段４により第１の加熱手段１を駆動する。また、左コンロと右コンロが同時加熱されている場合は、第１の加熱手段１の通電を禁止しているので、電源スイッチ９の片方の極から複数の加熱手段へ通電されることはない。
【００２５】
ロースターの単独使用で第１の駆動手段４により第１の加熱手段１を通電中に左コンロでの調理を開始する場合には、制御手段８は第１の駆動手段４による駆動を停止して第２の駆動手段５にて第１の加熱手段１を再通電するとともに第３の駆動手段６により第２の加熱手段２を通電する。また、第２の駆動手段５にて第１の加熱手段１を通電中に右コンロでの調理を開始する場合も同様に、制御手段８は第１の加熱手段１の駆動を第１の駆動手段４に切り替えて、第３の加熱手段３と同時に通電する。
【００２６】
第１の記憶手段１０は最後に第１の加熱手段１を駆動した駆動手段すなわち第１の駆動手段４かまたは第２の駆動手段５のいずれかを記憶しており、ロースターを単独で通電する場合は、第１の記憶手段１０で記憶されていない方の駆動手段にて第１の加熱手段１を駆動する。
【００２７】
また、第２の記憶手段１１を有する構成とすると、電源スイッチ９がオフされても第１の加熱手段１を駆動した駆動手段を記憶しており、調理器を初めて使用したときからの累積駆動回数を記憶しているので、ロースターを単独で通電する場合は、累積駆動回数の少ない方の駆動手段にて第１の加熱手段１を駆動する。
【００２８】
また、第１の駆動手段４と第２の駆動手段５を図２に示すように切換接点を有するリレーで構成し、第１の駆動手段４のリレーの共通端子側を電源スイッチの第１の極９ａ側とし、切換端子側の一方を第１の加熱手段１に他方を第２の加熱手段２にぞれぞれ接続し、また第２の駆動手段５のリレーの共通端子側を電源スイッチの第２の極９ｂ側とし、切換端子側の一方を第１の加熱手段１に他方を第３の加熱手段３にぞれぞれ接続すると、リレー接点が溶着したりリレーを駆動するための制御回路に故障が生じても、電源スイッチ９の一つの極から複数の加熱手段へ電源供給されることはない。
【００２９】
以上のように本実施例によれば、第１の加熱手段へは電源スイッチのいずれの極からでも電源供給可能であり、また全ての加熱手段を同時に通電できなくしているので、電源スイッチの片方の極から複数の加熱手段へ同時に電流供給されることがなくなり、定格が小さく安価な電源スイッチでかつ、任意の２つの加熱手段を最大火力で同時加熱することが可能となる。
【００３０】
また、制御手段や駆動手段などの制御回路の故障に関係なく、確実に電源スイッチの片方の極から複数の加熱手段へ同時に電源供給されることがなくなり、定格が小さく安価な電源スイッチでかつ、任意の２つの加熱手段を最大火力で同時加熱することが可能となるとともに、調理中の回路の故障によるブレーカーの遮断を抑制することができる。
【００３１】
また、第１の加熱手段を通電した時第１の駆動手段４によるのか第２の駆動手段５によるのかそのいずれの駆動手段で駆動したかを記憶しているので、第１の加熱手段１を単独で使用する場合に前回とは異なる方の駆動手段にて駆動することが可能となり、電源スイッチ９のそれぞれの極からの通電回数や第１の駆動手段４と第２の駆動手段５の動作回数のバランスをよくして、電源スイッチ９や、第１の駆動手段４および第２の駆動手段５の信頼性を向上することができる。
【００３２】
さらに、第１の加熱手段１を単独で使用する場合に使用頻度の低い方の駆動手段にて駆動することが可能となり、電源スイッチ９のそれぞれの極からの通電回数や第１の駆動手段４と第２の駆動手段５の動作回数のバランスをより一層よくして、電源スイッチ９や、第１の駆動手段４および第２の駆動手段５の信頼性をより向上することができる。
【００３３】
【発明の効果】
請求項１記載の発明によれば、第１の加熱手段へは電源スイッチのいずれの極からでも電源供給可能であり、また全ての加熱手段を同時に通電できなくしているので、電源スイッチの片方の極から複数の加熱手段へ同時に電流供給されることがなくなり、定格が小さく安価な電源スイッチでかつ、任意の２つの加熱手段を最大火力で同時加熱することが可能となり、調理器を設置する場所の横が壁となっているようなキッチンにおいても高火力で使い勝手の良い調理器を供給することが可能となる。
【００３４】
また、請求項２記載の発明によれば、制御手段や駆動手段などの制御回路の故障に関係なく、確実に電源スイッチの片方の極から複数の加熱手段へ同時に電源供給されることがなくなり、定格が小さく安価な電源スイッチでかつ、任意の２つの加熱手段を最大火力で同時加熱することが可能となるとともに、調理中の回路の故障によるブレーカーの遮断も抑制することができる。
【００３５】
また、請求項３記載の発明によれば、第１の加熱手段を通電した時いずれの駆動手段で駆動したかを記憶しているので、第１の加熱手段を単独で使用する場合に前回とは異なる方の駆動手段にて駆動することが可能となり、電源スイッチのそれぞれの極からの通電回数や第１の駆動手段と第２の駆動手段の動作回数のバランスをよくして、電源スイッチや、第１の駆動手段および第２の駆動手段の信頼性を向上することができる。
【００３６】
請求項４記載の発明によれば、第１の加熱手段を単独で使用する場合に使用頻度の低い方の駆動手段にて駆動することが可能となり、電源スイッチのそれぞれの極からの通電回数や第１の駆動手段と第２の駆動手段の動作回数のバランスをより一層よくして、電源スイッチや、第１の駆動手段および第２の駆動手段の信頼性をより向上することができる。
【図面の簡単な説明】
【図１】本発明の一実施例における多口加熱調理器を示すブロック図
【図２】本発明の他の実施例における多口加熱調理器を示すブロック図
【図３】従来例における誘導加熱調理器を示すブロック図
【符号の説明】
１  第１の加熱手段
２  第２の加熱手段
３  第３の加熱手段
４  第１の駆動手段
５  第２の駆動手段
６  第３の駆動手段
７  第４の駆動手段
８  制御手段
９  電源スイッチ
９ａ  電源スイッチの第１の極
９ｂ  電源スイッチの第２の極
１０  第１の記憶手段
１１  第２の記憶手段
【図１】
0004284835.tif 000002
【図２】
0004284835.tif 000003
【図３】
0004284835.tif 000004